(57)【特許請求の範囲】
【請求項１】
第１面と第２面とを備える圧電基板と、 
前記圧電基板の前記第２面に貼り合わされた支持基板と、 
前記圧電基板の前記第１面に配置された第１フィルタおよび前記第１フィルタより高い通過帯域を備える第２フィルタと、を備え、 
前記第１フィルタおよび前記第２フィルタは、それぞれ少なくとも１つの第１ＩＤＴ電極および少なくとも１つの第２ＩＤＴ電極を含み、前記第１ＩＤＴ電極の厚みと前記第２ＩＤＴ電極の厚みとが異なり、前記第１ＩＤＴ電極の厚みは、前記第２ＩＤＴ電極の厚みよりも薄い、弾性波装置。 
【請求項２】
前記第１ＩＤＴ電極は複数あり、その厚みは全て同じであり、 
前記第２ＩＤＴ電極は複数あり、その厚みは全て同じである、請求項１に記載の弾性波装置。 
【請求項３】
前記第１フィルタは、前記第１ＩＤＴ電極を含む複数の弾性波共振子を接続してなり、複数の前記弾性波共振子は、第１共振子と第２共振子とを備え、前記第１共振子の前記第１ＩＤＴ電極は前記第２共振子に比べて厚い、請求項１に記載の弾性波装置。 
【請求項４】
前記第２フィルタは、前記第２ＩＤＴ電極を含む複数の弾性波共振子を接続してなり、複数の前記弾性波共振子は、第３共振子と第４共振子とを備え、前記第３共振子の前記第２ＩＤＴ電極は前記第４共振子に比べて厚い、請求項１に記載の弾性波装置。 
【請求項５】
前記第１フィルタは、前記第１ＩＤＴ電極を含む複数の弾性波共振子を接続してなり、複数の前記弾性波共振子は、ラダー型フィルタを構成する直列共振子と並列共振子とを含み、前記直列共振子の前記第１ＩＤＴ電極の厚みは前記並列共振子に比べて厚い、請求項１に記載の弾性波装置。 
【請求項６】
前記圧電基板は、タンタル酸リチウム基板であり、前記支持基板は、前記圧電基板よりも線膨張係数の小さい材料の結晶性材料からなる、請求項１乃至５のいずれかに記載の弾性波装置。
【発明の詳細な説明】
【技術分野】
【０００１】
本発明は、弾性波装置に関するものである。
【背景技術】
【０００２】
圧電基板と、圧電基板の主面上に設けられたＩＤＴ（InterDigital Transducer）とを有するＳＡＷ（Surface Acoustic Wave：弾性表面波）素子が知られている（例えば特開２００７−２１４９０２号公報）。このようなＳＡＷ素子は、例えば、デュプレクサの受信フィルタまたは送信フィルタに利用されている。特許文献１では、圧電基板を単体でＳＡＷ素子に用いるのではなく、圧電基板と当該圧電基板に比較して熱膨張係数の小さい支持基板とを貼り合せた貼り合せ基板をＳＡＷ素子に用いている。このような貼り合せ基板を利用することによって、例えば、ＳＡＷ素子の電気特性の温度変化が補償される。
【発明の概要】
【発明が解決しようとする課題】
【０００３】
しかし、上述のように貼り合せ基板を用いると、ＳＡＷ素子の電気特性に関して、貼り合せ基板を用いていないときには生じないスプリアスが生じることがある。従って、このようなスプリアスを低減できる弾性表面波装置が提供されることが望ましい。
【課題を解決するための手段】
【０００４】
本開示の一態様の弾性波装置は、第１面と第２面とを備える圧電基板と、前記第２面に貼り合わされた支持基板と、前記第１面に位置する第１フィルタおよび第２フィルタを備える。【０００５】
前記第２フィルタは、前記第１フィルタより高い通過帯域を備える。【０００６】
前記第１フィルタは少なくとも１つの第１ＩＤＴ電極を含み、前記第２フィルタは少なくとも１つの第２ＩＤＴ電極を含み、前記第１ＩＤＴ電極の厚みと前記第２ＩＤＴ電極の厚みとが異なる。
【発明の効果】
【０００７】
上述の本開示の一態様に係る弾性波装置は、スプリアスを低減したものとなる。
【図面の簡単な説明】
【０００８】
【図１】本開示にかかる弾性波装置の一実施形態を示す平面図である。
【図２】図１に示す弾性波装置に含まれるＩＤＴ電極の構成を示す要部拡大平面図である。
【図３】図１のＩＩＩ−ＩＩＩ線における断面図である。
【図４】圧電基板厚みとバルク波スプリアスの周波数との相関を示す線図である。
【図５】ＩＤＴ電極の膜厚を異ならせたときの周波数特性を示す線図である。
【図６】図６（ａ）〜図６（ｃ）は弾性波装置のＩＤＴ電極設計方法を示す概念図である。
【発明を実施するための形態】
【０００９】
以下、本開示の弾性波装置にかかる実施の形態を図面を用いて詳細に説明する。なお、以下の説明で用いられる図は模式的なものであり、図面上の寸法比率等は現実のものとは必ずしも一致していない。
【００１０】
また、変形例等の説明において、既に説明された実施形態の構成と同一または類似する構成については、既に説明された実施形態と同一の符号を付し、説明を省略することがある。また、基本構成が類似しているものは、第１、第２等の記載を省略してこれらを区別せずに説明することがある。
【００１１】
弾性波装置は、いずれの方向が上方または下方とされてもよいものであるが、以下では、便宜的に、互いに直交するＤ１方向、Ｄ２方向、Ｄ３方向を定義するとともにＤ３方向の正側を上方として、上面、下面等の用語を用いるものとする。なお、上述のＤ１方向，Ｄ２方向およびＤ３方向で定義される直交座標系は、弾性波装置の形状に基づいて定義されているものであり、圧電基板を構成する圧電結晶の結晶軸（Ｘ軸，Ｙ軸，Ｚ軸）を指すものではない。
【００１２】
＜弾性波装置＞
図１は、本開示の一実施形態に係る弾性波装置１の平面図であり、図２は、ＩＤＴ電極３の構成を示す平面図であり、図３は、図１のＩＩＩ−ＩＩＩ線における矢視断面図である。
【００１３】
弾性波装置１は、圧電結晶からなる圧電基板２と、支持基板６と、第１フィルタ１０ａおよび第２フィルタ１０ｂを備える。
【００１４】
圧電基板２は、ＬＮ（ニオブ酸リチウム：ＬｉＮｂＯ３）結晶またはＬＴ（タンタル酸リチウム：ＬｉＴａＯ３）結晶からなる圧電性を有する単結晶（圧電結晶）によって構成されている。具体的には、例えば、圧電基板２は、３６°〜４８°Ｙ−ＸカットのＬＴ基板によって構成されている。圧電基板２の平面形状および各種寸法は適宜に設定されてよい。一例として、圧電基板２の厚み（Ｄ３方向）は、１μｍ以上３０μｍ以下である。
【００１５】
圧電基板２の圧電結晶は結晶軸としてＸＹＺ軸を有し、Ｘ伝搬基板を用いる場合はＸ軸とＤ１方向とが一致する。すなわち、Ｘ軸およびＤ１方向が弾性波の伝搬方向となる。さらにＹ軸、Ｚ軸はＤ１方向の成分を備えず、Ｄ２方向，Ｄ３方向の成分を備える。
【００１６】
このような圧電基板２はＤ３方向に直交する第１面２Ａおよび第２面２Ｂを備える。圧電基板２の第２面（下面）２Ｂには支持基板６が配置されている。この圧電基板２と支持基板６とで素子基板を構成している。
【００１７】
支持基板６は、薄い圧電基板２を支持する強度があれば特に限定されないが、例えば、圧電基板２の材料よりも熱膨張係数が小さい材料によって形成されている。このような構成の素子基板によれば、温度変化が生じると圧電基板２に熱応力が生じ、この際、弾性定数の温度依存性と応力依存性とが打ち消し合い、ひいては、弾性波装置１の電気特性の温度変化が補償される。このような材料としては、例えば、サファイア等の単結晶、シリコン等の半導体および酸化アルミニウム質焼結体等のセラミック、水晶等を挙げることができる。なお、支持基板６は、互いに異なる材料からなる複数の層が積層されて構成されていてもよい。
【００１８】
支持基板６の厚さは、例えば、一定であり、その厚さは、圧電基板２の厚さと同様に適宜に設定されてよい。例えば、支持基板６の厚さは、温度補償が好適に行われるように、圧電基板２の厚さを考慮して設定される。一例として、圧電基板２の厚さ１〜３０μｍに対して、支持基板６の厚さは７５〜３００μｍである。
【００１９】
圧電基板２および支持基板６は、例えば、不図示の接着層を介して互いに貼り合わされている。接着層の材料は、有機材料であってもよいし、無機材料であってもよい。有機材料としては、例えば、熱硬化性樹脂等の樹脂が挙げられる。無機材料としては、例えば、ＳｉＯ２が挙げられる。また、両基板は、接着面をプラズマやイオンガン，中性子ガンなどで活性化処理した後に接着層無しに貼り合わせる、いわゆる直接接合によって貼り合わされていてもよい。
【００２０】
圧電基板２の第１面（上面）２Ａには、第１フィルタ１０ａと、第１フィルタ１０ａとは通過帯域の異なる第２フィルタ１０ｂとが位置している。第１フィルタ１０ａおよび第２フィルタ１０ｂは、それぞれＩＤＴ電極３を含む電極群で構成される。より具体的には、第１フィルタ１０ａは少なくとも１つの第１ＩＤＴ電極３Ａを含み、第２フィルタ１０ｂは少なくとも１つの第２ＩＤＴ電極３Ｂを含む。後述するが、第１ＩＤＴ電極３Ａと第２ＩＤＴ電極３Ｂとは、その基本構造は同じあるため、共通する部分について説明するときには、ＩＤＴ電極３として両者を区別せずに説明する。
【００２１】
そして、この例では、第１フィルタ１０ａおよび第２フィルタ１０ｂは、それぞれＩＤＴ電極３を含む共振子１１（１１ａ〜１１ｅ）を複数備え、これらが互いに接続されてラダー型フィルタを構成している。
【００２２】
ここで、共振子１１の一部を構成するＩＤＴ電極３について図２を参照しつつ説明する。ＩＤＴ電極３は、図２に示すように、第１櫛歯電極３０ａおよび第２櫛歯電極３０ｂを有している。なお、以下の説明では、第１櫛歯電極３０ａおよび第２櫛歯電極３０ｂを単に櫛歯電極３０といい、これらを区別しないことがある。
【００２３】
櫛歯電極３０は、図２に示すように、互いに対向する２本のバスバー３１（第１バスバー３１ａ，第２バスバー３１ｂ）と、各バスバー３１から他のバスバー３１側へ延びる複数の電極指３２（第１電極指３２ａ，第２電極指３２ｂ）とを有している。そして、１対の櫛歯電極３０は、第１電極指３２ａと第２電極指３２ｂとが、弾性波の伝搬方向に互いに噛み合うように（交差するように）配置されている。第１バスバー３１ａと第２バスバー３１ｂとは、互いに異なる電位に接続されている。
【００２４】
また、櫛歯電極３０は、それぞれの電極指３２と対向するダミー電極指３３を有している。第１ダミー電極指３３ａは、第１バスバー３１ａから第２電極指３２ｂに向かって延びている。第２ダミー電極指３３ｂは、第２バスバー３１ｂから第１電極指３２ａに向かって延びている。
【００２５】
ＩＤＴ電極３を構成する一対の櫛歯電極３０の複数の電極指３２は、ピッチＰｔ１となるように設定されている。ピッチＰｔ１は、例えば、共振させたい周波数での弾性波の波長λの半波長と同等となるように設けられている。波長λ（すなわち２×Ｐｔ１）は、例えば、１．４μｍ以上６μｍ以下である。ＩＤＴ電極３は、ほとんどの複数の電極指３２がピッチＰｔ１となるように配置することにより、複数の電極指３２が一定の周期となるような配置となるため、弾性波を効率よく発生させることができる。
【００２６】
ここでピッチＰｔ１は、伝搬方向（Ｄ１方向，Ｘ方向）において、第１電極指３２ａの中心から、当該第１電極指３２ａに隣接する第２電極指３２ｂの中心までの間隔を指すものである。
【００２７】
このように電極指３２を配置することで、複数の電極指３２に直交する方向に伝搬する弾性波が発生する。
【００２８】
ＩＤＴ電極３は、例えば、金属の導電層１５によって構成されている。この金属としては、例えば、ＡｌまたはＡｌを主成分とする合金（Ａｌ合金）、Ｃｕ、Ｍｇ等を含む合金、およびこれらの組み合せが挙げられる。Ａｌ合金は、例えば、Ａｌ−Ｃｕ合金である。なお、ＩＤＴ電極３は、複数の金属層から構成されてもよい。ＩＤＴ電極３の各種寸法は、ＳＡＷ素子１に要求される電気特性等に応じて適宜に設定される。ＩＤＴ電極３の厚み（Ｄ３方向）については後述する。
【００２９】
ＩＤＴ電極３は、圧電基板２の第１面２Ａに直接配置されていてもよいし、別の部材からなる下地層を介して圧電基板２の第１面２Ａに配置されていてもよい。別の部材は、例えば、Ｔｉ、Ｃｒ、あるいはこれらの合金等からなる。下地層を介してＩＤＴ電極３を圧電基板２の上面２Ａに配置する場合は、別の部材の厚みはＩＤＴ電極３の電気特性に殆ど影響を与えない程度の厚み（例えば、Ｔｉの場合はＩＤＴ電極３の厚みの５％の厚み）に設定される。
【００３０】
また、ＩＤＴ電極３を構成する電極指３２上には、ＳＡＷ素子１の温度特性を向上させるために、質量付加膜を積層してもよい。質量付加膜としては、例えばＳｉＯ２等を用いることができる。
【００３１】
ＩＤＴ電極３は、電圧が印加されると、圧電基板２の上面２Ａ付近においてＤ１方向に伝搬する弾性波を励起する。励起された弾性波は、電極指３２の非配置領域（隣接する電極指３２間の長尺状の領域）との境界において反射する。そして、電極指３２のピッチＰｔ１を半波長とする定在波が形成される。定在波は、当該定在波と同一周波数の電気信号に変換され、電極指３２によって取り出される。
【００３２】
反射器４は、弾性波の伝搬方向においてＩＤＴ電極３を挟むように配置されている。反射器４は、概ねスリット状に形成されている。すなわち、反射器４は、弾性波の伝搬方向に交差する方向において互いに対向する反射器バスバー４１と、これらバスバー４１間において弾性波の伝搬方向に直交する方向に延びる複数の反射電極指４２とを有している。反射器バスバー４１は、例えば、概ね一定の幅で直線状に延びる長尺状に形成されており、弾性波の伝搬方向に平行に配置されている。
【００３３】
不図示の保護層は、ＩＤＴ電極３および反射器４上を覆うように、圧電基板２上に設けられている保護層は、絶縁性を有する材料からなり、例えばＳｉＯ２などの材料によって形成される。
【００３４】
ここで、弾性波装置１における、バルク波スプリアスの発生周波数について検討する。
【００３５】
ＩＤＴ電極３によって圧電基板２に電圧を印加すると、振動方向のモードおよび次数のモードの少なくとも一方が互いに異なる複数種類のバルク波が生じる。振動方向のモードは、例えば、Ｄ３軸方向に振動するモード、Ｄ２軸方向に振動するモードおよびＤ１軸方向に振動するモードである。各振動方向のモードにはそれぞれ、複数の次数のモードがある。この次数のモードは、例えば、深さ方向（Ｄ３軸方向）における節および腹の数により規定される。なお、バルク波スプリアスはＩＤＴ電極３のピッチと圧電基板２の厚みとによって発生周波数が決まる。
【００３６】
そこで、圧電基板２の厚みｔｓを互いに異ならせた複数の弾性波装置１を想定して、圧電基板２の厚みが各モードのバルク波の周波数に及ぼす影響を調べた。具体的には、シミュレーション計算によって、種々の厚みの圧電基板２において生じる各モードのバルク波の周波数を計算した。
【００３７】
図４は、あるピッチにおいて、上記のようなシミュレーション計算を行なった結果を示す図である。
【００３８】
この図において、横軸（ｔｓ）は、圧電基板２の厚みを示している。縦軸（ｆ）は、バルク波の周波数を示している。複数の線Ｌ１１〜Ｌ１７は、振動方向のモードおよび次数のモードの少なくとも一方が互いに異なる複数種類のバルク波の周波数を示している。
【００３９】
なお、この図において、線Ｌ１５，Ｌ１６，Ｌ１７のプロットは途中までとしたが、実際には線Ｌ１１〜Ｌ１４と同様に厚みの増加とともに周波数が低下する線が続く。さらに、図示はしていないが、線Ｌ１７以降（線Ｌ１８、線Ｌ１９・・・）もＬ１１〜Ｌ１７と同様の傾向を有する線が無数に存在している。このため、ある厚みにおけるバルク波スプリアスは、縦軸（ｆ）に平行な線分がこれらの線（Ｌ１１〜Ｌ１９等）を横切る周波数において発生するものとなる。
【００４０】
通常の貼り合せ基板において、圧電基板２の厚みは２０μｍが推奨されていることが多い。このため、通常の貼り合せ基板においては、使用する周波数帯（は、図４に示す厚み範囲よりもさらに厚い側において、無数に錯綜する線（Ｌ１１〜Ｌ１７等）を横切ることとなる。その結果、使用する周波数帯にくまなくバルク波スプリアスが生じるのである。
【００４１】
この図の矢印に示されているように、いずれのモードのバルク波も、圧電基板２の厚みを薄くすると、周波数が高くなる。そして、バルク波スプリアスの周波数間隔も広がっていく。特に線Ｌ１１，Ｌ１２，Ｌ１３で囲まれた領域においては比較的広範囲でバルク波スプリアスが発生しない領域が存在する。しかしながら、例えこのような特異領域であっても、同じ圧電基板２の厚みにおいて、周波数帯の異なる２つフィルタ（１０ａ，１０ｂ）の双方で所望の周波数のバルク波スプリアスを避けることは困難である。
【００４２】
具体的には、通過帯域が異なると、ＩＤＴ電極３のピッチも異なり、バルク波スプリアスの周波数もシフトする。このため、ある周波数帯において２つフィルタ（１０ａ，１０ｂ）の双方で同時にバルク波スプリアスを避けることは困難である。
【００４３】
これに対応するために、２つフィルタ（１０ａ，１０ｂ）のそれぞれに合わせて適切な圧電基板２の厚みを選択することが必要であった。
【００４４】
これに対して、発明者が鋭意遂行を重ねた結果、ＩＤＴ電極３の膜厚を変更すると、それに応じて共振周波数等の弾性表面波（ＳＡＷ）の周波数特性は変化するが、バルク波スプリアス（ＢＡＷ）の周波数特性は変化しないことが分かった。
【００４５】
図５に、ＩＤＴ電極３の膜厚を変えたときの共振子の周波数特性を示す。横軸は周波数であり、縦軸はインピーダンスである。線Ｌ５１〜Ｌ５７は弾性波の波長で正規化したときのＩＤＴ電極の厚みを０．０７５〜０．１１１まで０．０６ずつ変化させたときの周波数特性を示す線である。点線で囲んだＲｒは共振点が現れている領域を、Ｒａは反共振点が現れている領域を、矢印で示すＲ１〜Ｒ４はバルク波スプリアスが生じる領域を示している。
【００４６】
図５からも明らかなように、共振周波数ｆｒおよび反共振周波数ｆａは膜厚を変更することで周波数がシフトする。具体的には膜厚を厚くすると共振周波数ｆｒおよび反共振周波数ｆａは低周波数側にシフトする。一方で、バルク波スプリアスの周波数位置はシフトしていないことが分かる。
【００４７】
このことは、図４をバルク波スプリアスのみの周波数特性とみることができることを示している。すなわち、ある圧電基板２の厚みにおいてみたときに、ＩＤＴ電極３の膜厚を変化させることで、バルク波スプリアスの周波数位置はそのままで、実現できる共振周波数ｆｒおよび反共振周波数ｆａ等に幅を持たせることができることを示している。
【００４８】
逆に言うと、ＩＤＴ電極３のピッチによりバルク波周波数が発生する周波数をコントロールし、膜厚により所望の共振特性を備えるよう調整できることを示している。
【００４９】
以上を踏まえ、弾性波デバイス１においては、図３に示すように、第１フィルタ１０ａを構成する第１ＩＤＴ電極３Ａと、第２フィルタ１０ｂを構成する第２ＩＤＴ電極３Ｂとで、所望の周波数にバルク波スプリアスが発生しないよう、膜厚を異ならせている。
【００５０】
通常、ＩＤＴ電極３の膜厚は、弾性表面波の伝搬損失を考慮して、波長で正規化した厚みを０．０７程度としている。このため、周波数に応じて最適な電極厚みは異なることになる。しかしながら、貼り合せ基板を用いる場合にはこのような損失の影響が無視できるため、通常は厚みを異ならせる必要がない。そのような中、本実施形態では、第１フィルタ１０ａおよび第２フィルタ１０ｂの少なくとも一方のＩＤＴ電極３の厚みをバルク波を考慮して変更したものとなっている。
【００５１】
なお、厚みを異ならせるには、導体層１５の厚みを異ならせてもよいし、下地層と導体層１５とを繰り返し積層して異ならせてもよい。また、共振子１１（ＩＤＴ電極３とそれを挟む反射器４）の全領域において電極厚みを厚くしている。
【００５２】
これにより、全く通過帯域の異なる２つのフィルタ１０ａ，１０ｂを同一の厚みの基板（同一圧電基板２）に配置しても、双方ともバルク波スプリアスを避け、周波数特性の優れた弾性波装置１を提供することができる。
【００５３】
なお、第１フィルタ１０ａのＩＤＴ電極３のピッチと、第２フィルタ１０ｂのＩＤＴ電極３のピッチとは同じであっても異なっていてもよい。
【００５４】
同じ場合には、２つのフィルタ１０ａ、１０ｂで同一の周波数にバルク波スプリアスが発生するため、圧電基板２の厚みやＩＤＴ電極３のピッチを所望の周波数においてバルク波スプリアスが発生しないような値に決定すればよい。なお、図４の例では、共振周波数ｆｒおよび反共振周波数ｆａの周波数は、１００ＭＨｚ以上シフトさせることが可能であったことから、通過帯域の異なる２つのフィルタ１０ａ、１０ｂでもピッチ同一で実現できることが分かる。第１フィルタ１０ａと第２フィルタ１０ｂとでＩＤＴ電極３のピッチが同一の場合には、両フィルタで同一の周波数に同一モードのバルク波スプリアスが発生するので、設計が容易となる。
【００５５】
一方、異なる場合には、２つのフィルタ１０ａ、１０ｂでそれぞれ所望の周波数においてバルク波スプリアスが発生しないような値にＩＤＴ電極３のピッチを決定し、その後所望の周波数特性を得るようにＩＤＴ電極３の膜厚を調整すればよい。このような構成により、各フィルタ１０ａ、１０ｂ双方に最適な設計を実現することができるので好ましい。
【００５６】
また、このように、異なる２つの通過帯域を備えるフィルタ１０を同一の圧電基板２に形成することができるので、別々の基板に設ける場合に比べ弾性波装置１を小型化することができる。
【００５７】
（他の実施形態）
上述の例では、第１フィルタ１０ａと第２フィルタ１０ｂの通過帯域の高低と、各ＩＤＴ電極３の膜厚の大きさとの関係について特定していないが、第２フィルタ１０ｂが、第１フィルタ１０ａよりも高い通過帯域を備え、そのＩＤＴ電極３の厚みは第１フィルタ１０ａに比べ厚くしてもよい。
【００５８】
一般には、第1フィルタ１０ａと第２フィルタ１０ｂの通過帯域幅は略同一である。そしてこれらがラダー型フィルタである場合には、第1フィルタ１０ａを構成する共振子１１ａ〜１１eのそれぞれのＩＤＴ電極３のピッチの関係と、第２フィルタ１０ｂを構成する共振子１１ａ〜１１eのそれぞれのＩＤＴ電極３のピッチの関係とは、相対的に酷似する。
【００５９】
ここで、第１フィルタ１０ａと第２フィルタ１０ｂとのＩＤＴ電極３の膜厚が同じ場合には、第１フィルタ１０ａとしてバルク波スプリアスの影響を無くすように設定した圧電基板２の厚みでは、第２フィルタ１０ｂにおいては、バルク波スプリアスが相対的に低周波数側に発生する。これは、周波数が高い第２フィルタ１０ｂの方がＳＡＷの波長が短いため、波長に対する圧電基板２の厚みは、第１フィルタ１０ａよりも、第２フィルタ１０ｂの方が実効的に厚くなる。このため、第２フィルタ１０ｂの周波数特性の波形上のバルク波スプリアスの周波数が低周波数側にシフトするからである。
【００６０】
これに対するバルク波スプリアス制御方法について、図６を用いて説明する。図６において横軸は周波数、縦軸はインピーダンスを示している。線Ｌ１００は第１フィルタ１０ａの周波数特性を示す線であり、線Ｌ２００は第２フィルタ１０ｂの周波数特性を示す線図である。さらに、Ｒ１０，Ｒ２０はバルク波スプリアスのピークを示している。Ｂ１，Ｂ２は、それぞれ第１フィルタ１０ａ，第２フィルタ１０ｂの通過帯域を示している。
【００６１】
図６（ａ）は調整前のフィルタ１０の周波数特性である。図６（ａ）に示すように、第１フィルタ１０ａでは、通過帯域Ｂ１の中央にバルク波スプリアスＲ１０を位置させるよう圧電基板２の厚みを選択する。一方、第２フィルタ１０ｂでは、第２フィルタ１０ｂに適した基板厚みではないため、バルク波スプリアスＲ２０が通過帯域Ｂ２の中央よりも低くなり、通過帯域Ｂ２の肩部に発生する。この場合には、フィルタの透過特性を著しく劣化させてしまう。
【００６２】
そこで、第２フィルタ１０ｂにおいてもバルク波スプリアスの影響を無くすため、次の手法を取る。まず、図６（ｂ）に示すように、第２フィルタ１０ｂのＩＤＴ電極３の膜厚を厚くする。その場合、第２フィルタ１０ｂの波形を示す線Ｌ２００のみが低周波数側にシフトするが、バルク波スプリアスＲ２０の周波数は変わらない。このため、第２フィルタ１０ｂの線Ｌ２００の中央にバルク波スプリアスＲ２０を位置させることができる。
【００６３】
次に、図６（ｃ）に示すように、第２フィルタ１０ｂの波形（線Ｌ２００）を通過帯域Ｂ２の所望の周波数位置に戻すため、ＩＤＴ電極３のピッチを小さくして高周波数側にシフトさせる。その際、ピッチを小さくした分、またバルク波スプリアスＲ２０の位置は若干低周波数側にシフトしてしまうが、ＩＤＴ電極３の膜厚を厚くする際の第２フィルタ１０ｂの波形の周波数移動量の方が大きく、影響は小さくなる。
【００６４】
このようにして、全く通過帯域の異なる２つのフィルタ１０ａ，１０ｂを同一の厚みの基板（同一圧電基板２）に配置しても、双方ともバルク波スプリアスを避け、周波数特性の優れた弾性波装置１を提供することができる。
【００６５】
なお、第２フィルタ１０ｂ側の周波数に合わせて圧電基板２の厚みを選択した場合には、上述と同様の調整を行なうことにより、第１フィルタ１０ａのＩＤＴ電極３の厚みを薄くすることとなり、いずれにしても第２フィルタ１０ｂのＩＤＴ電極３の膜厚が厚くなることなる。
【００６６】
また、ＩＤＴ電極３の厚みを薄くしてピッチを広げてバルク波スプリアス位置を調整するよりも、ＩＤＴ電極３の厚みを厚くしてピッチを狭くして調整する方が素子サイズを小さくすることができるので、小型化の観点からも、高周波数側のフィルタのＩＤＴ電極厚みを厚くすることが好ましい。厚くしているかどうかを確認するためには、ピッチから推測される周波数と実際の共振子としての周波数を比較し、前者の値の方が高い場合に厚くしていると推定することができる。
【００６７】
（他の実施形態）
上述の例では、１つのフィルタ１０内で複数の共振子１１がある場合に、同一フィルタ１０内ではそのＩＤＴ電極３の膜厚に言及していないが、一定でもよいし、違っていてもよい。すなわち、１つのフィルタ１０内で異なる膜厚のＩＤＴ電極３を備えていてもよい。
【００６８】
例えば、図１に示すように、第１フィルタ１０ａが、複数の共振子１１（１１ａ〜１１ｅ）を備える場合を例に説明する。共振子１１ａ〜１１ｃは端子Ｔ１，Ｔ２の間に直列に接続された、直列共振子である。共振子１１ｄ，１１ｅは、端子Ｔ１，Ｔ２間において直列共振子を直列接続する配線と基準電位端子Ｔｇとの間に接続された並列共振子である。
【００６９】
このようなラダー型フィルタでは、直列共振子の共振周波数と並列共振子の反共振周波数とが略一致するように設計されることから、当然互いの共振子の共振周波数は異なる。そこで、直列共振子と並列共振子との共振周波数の違いをＩＤＴ電極３のピッチに加え膜厚を異ならせることで調整してもよい。この場合には、共振周波数の高い直列共振子のＩＤＴ電極３の厚みを厚くしてもよい。
【００７０】
特に、直列共振子と並列共振子とでＩＤＴ電極３のピッチを同じにして膜厚のみを異ならせた場合には、第１フィルタ１０ａにおいて両共振子で発生するバルク波スプリアスの周波数が一致する。これにより、両共振子のピッチを一定の値に設定するのみで、バルク波スプリアスを、バルク波スプリアスを発生させたくない周波数位置から容易にずらすことができる。
【００７１】
また、ラダー型フィルタにおいては、複数の直列共振子間で少しずつ共振周波数を異ならせたり、複数の並列共振子間で少しずつ共振周波数を異ならせたりすることがある。このような場合においても直列共振子間で膜厚を異ならせて共振周波数を異ならせてもよいし、並列共振子間で膜厚を異ならせて共振周波数を異ならせてもよい。
【００７２】
上述のように第１フィルタ内で膜厚の異なる共振子を第１共振子と第２共振子という。第１共振子のＩＤＴ電極３の厚みは第２共振子のＩＤＴ電極の厚みに比べて厚くなっている。第１共振子の共振周波数は、第２共振子の共振周波数よりも高くしてもよい。
【００７３】
第１フィルタ１０ａと同様に、第２フィルタ１０ｂにおいても膜厚の異なる共振子を備えていてもよい。この場合には、膜厚の異なる共振子を第３共振子と第４共振子という。第３共振子のＩＤＴ電極３の厚みは第４共振子のＩＤＴ電極の厚みに比べて厚くなっている。第３共振子の共振周波数は、第４共振子の共振周波数よりも高くしてもよい。
【００７４】
なお、このように、第１フィルタ１０ａを構成する複数のＩＤＴ電極３の厚みが一定ではない場合、もしくは、第２フィルタ１０ｂを構成する複数のＩＤＴ電極３の厚みが一定ではない場合、およびその両方の場合においては、第１フィルタ１０ａのＩＤＴ電極３の厚みとは、複数のＩＤＴ電極３の厚みの平均をいう。第２フィルタ１０ｂのＩＤＴ電極３の厚みについても同様である。これにより、第１フィルタ１０ａのＩＤＴ電極３の厚みと第２フィルタ１０ｂのＩＤＴ電極３の厚みとを比較可能となる。
【００７５】
（他の実施形態）
上述の例では、第１フィルタ１０ａおよび第２フィルタ１０ｂともにラダー型のフィルタの例を説明したが、一方が多重モード型で他方がラダー型の組み合わせでもよいし、両方とも多重モード型でもよい。
【００７６】
また、上述の例では、ＩＤＴ電極３の厚みとピッチとでバルク波スプリアスの周波数とフィルタとしての通過帯域（または共振子としての共振・反共振周波数）との関係を調整した例を説明したが、デューティーとピッチとで同様の調整をしてもよい。
【００７７】
また、上述の例では、第１フィルタ１０ａと第２フィルタ１０ｂとで端子を個別に設けた例を示したが、一部の端子を共有としてもよい。例えば、アンテナに接続される端子を共有化してもよい。
【００７８】
また、上述の例では、第１フィルタ１０ａと第２フィルタ１０ｂとを一つの圧電基板２を共有する例を説明したが、厚みが同一で別体の圧電基板２としてもよい。
【符号の説明】
【００７９】
１：弾性波装置
２：圧電基板
１０：フィルタ
１０ａ：第１フィルタ
１０ｂ：第２フィルタ
３：ＩＤＴ電極
３２：電極指
３２ａ：第１電極指
３２ｂ：第２電極指
６：支持基板
【図１】
0006788024.tif 000002
【図２】
0006788024.tif 000003
【図３】
0006788024.tif 000004
【図４】
0006788024.tif 000005
【図５】
0006788024.tif 000006
【図６】
0006788024.tif 000007